(57)【要約】【課題】ユーザのニーズに応じた適切な通信サービスを容易に提供する。【解決手段】移動機１は、無線通信可能なネットワークにより提供をうけることが可能な通信サービス情報を取得する通信サービス情報取得部１３、通信サービスに対して要求される接続条件に適合する通信サービスを選択する通信サービス選択部１５、選択された通信サービスに対する加入処理を実施する加入処理部１８を備える。これにより、当該移動機１が無線通信可能な通信サービスの内容を移動機１において評価可能となり、ユーザのニーズに応じた通信サービスが選択される。さらに、ユーザのニーズに応じた適切な通信サービスの提供が容易に実現される。【選択図】図２
2012216990.tif 000002
【特許請求の範囲】
【請求項１】
無線通信可能なネットワークの識別情報を検出するネットワーク検出手段と、
前記ネットワーク検出手段によって検出された識別情報に識別されるネットワークにより提供を受けることが可能な通信サービスに関する通信サービス情報を取得する通信サービス情報取得手段と、
ユーザにより設定された、前記通信サービスに対して要求される接続条件を記憶する接続条件記憶手段と、
前記通信サービス情報取得手段により取得された通信サービス情報を参照して、前記接続条件記憶手段に記憶された接続条件に適合する前記通信サービス情報に係る通信サービスを選択する通信サービス選択手段と、
前記通信サービス選択手段により選択された通信サービスに対する加入処理を実施する加入処理手段と
を備える移動機。
【請求項２】
前記通信サービス情報は、当該通信サービスに関する通信速度、料金及び通信方式からなる複数の情報のうちの少なくとも２つ以上の情報を含み、
前記接続条件記憶手段は、前記通信サービスに対して要求される通信速度、料金及び通信方式からなる複数の項目のうちの少なくとも２つ以上の項目を前記接続条件として記憶する、
ことを特徴とする請求項１に記載の移動機。
【請求項３】
前記接続条件が複数の項目を含む場合には、前記接続条件記憶手段は、当該複数の項目に優先順位を付して記憶しており、
前記通信サービス選択手段は、前記優先順位がより上位の項目を優先させて前記通信サービスの選択に用いる
ことを特徴とする請求項２に記載の移動機。
【請求項４】
前記通信サービス選択手段により、複数の前記通信サービスが選択された場合に、当該複数の通信サービス及び当該通信サービスに関する通信サービス情報を提示する通信サービス提示手段と、
前記通信サービス提示手段による提示に応じた通信サービスの選択入力を受け付ける選択入力受付手段とを更に備え、
前記加入処理手段は、前記選択入力受付手段により受け付けられた通信サービスに対する加入処理を実施する
ことを特徴とする請求項１〜３のいずれか１項に記載の移動機。
【請求項５】
無線通信可能なネットワークの識別情報を検出するネットワーク検出ステップと、
前記ネットワーク検出ステップにおいて検出された識別情報によって識別されるネットワークにより提供を受けることが可能な通信サービスに関する通信サービス情報を取得する通信サービス情報取得ステップと、
前記通信サービス情報取得ステップにおいて取得された通信サービス情報を参照して、前記通信サービスに対して要求される接続条件に適合する前記通信サービス情報に係る通信サービスを選択する通信サービス選択ステップと、
前記通信サービス選択ステップにおいて選択された通信サービスに対する加入処理を実施する加入処理ステップと
を有することを特徴とする移動機における通信サービス加入方法。
【請求項６】
コンピュータに、
無線通信可能なネットワークの識別情報を検出するネットワーク検出機能と、
前記ネットワーク検出機能によって検出された識別情報により識別されるネットワークにより提供を受けることが可能な通信サービスに関する通信サービス情報を取得する通信サービス情報取得機能と、
前記通信サービスに対して要求される接続条件を記憶する接続条件記憶機能と、
前記通信サービス情報取得機能により取得された通信サービス情報を参照して、前記接続条件記憶機能により記憶された接続条件に適合する前記通信サービス情報に係る通信サービスを選択する通信サービス選択機能と、
前記通信サービス選択機能により選択された通信サービスに対する加入処理を実施する加入処理機能と
を実現することを特徴とする通信サービス加入プログラム。
【発明の詳細な説明】
【技術分野】
【０００１】
本発明は、移動機、通信サービス加入方法及び通信サービス加入プログラムに関する。
【背景技術】
【０００２】
近年、３Ｇ、ＬＴＥ（Long  Term  Evolution）、Ｗｉ−Ｆｉ（登録商標）、ＷｉＭＡＸ（登録商標）等の多様な通信方式による通信が可能な移動機が開発、製品化されている。また、これらの通信方式により、複数の通信回線提供事業者（キャリア）により種々の通信サービスが提供されている。一方、移動機では、ＳＩＭ（Subscriber  Identity  Module）により、当該移動機において使用可能な通信サービスが制御される。かかる通信環境下では、複数のＳＩＭを一の移動機に搭載可能としたり、一のＳＩＭにより複数のキャリアへの加入を可能とするような枠組みも想定される。また、複数の無線基地局が通信料金に関する情報（課金情報）を定期的に送信し、送信された情報を受信した端末が、情報の内容に基づき安価な通信料金を提示する何れかの無線基地局を選択し、この無線基地局に接続要求を発する技術が知られている（例えば、特許文献１参照）。
【先行技術文献】
【特許文献】
【０００３】
【特許文献１】特開２００１−２６８２７４号公報
【発明の概要】
【発明が解決しようとする課題】
【０００４】
上記のように、多様な無線通信サービスが提供される環境化において、それぞれの通信サービスの長所及び短所、並びにユーザの利用形態に合わせて、柔軟且つ容易に通信サービスを使い分けたいといった要請がある。特許文献１に記載された技術は、単に通信料金に基づき無線基地局に接続するのみであるので、ユーザにおける多様なニーズに沿った通信サービスを提供することはできない。
【０００５】
そこで、本発明は、上記問題点に鑑みてなされたものであり、ユーザのニーズに応じた適切な通信サービスを容易に提供することが可能な移動機、通信サービス加入方法及び通信サービス加入プログラムを提供することを目的とする。
【課題を解決するための手段】
【０００６】
上記課題を解決するために、本発明の移動機は、無線通信可能なネットワークの識別情報を検出するネットワーク検出手段と、ネットワーク検出手段によって検出された識別情報に識別されるネットワークにより提供を受けることが可能な通信サービスに関する通信サービス情報を取得する通信サービス情報取得手段と、ユーザにより設定された、通信サービスに対して要求される接続条件を記憶する接続条件記憶手段と、通信サービス情報取得手段により取得された通信サービス情報を参照して、接続条件記憶手段に記憶された接続条件に適合する通信サービス情報に係る通信サービスを選択する通信サービス選択手段と、通信サービス選択手段により選択された通信サービスに対する加入処理を実施する加入処理手段とを備える。
【０００７】
また、上記課題を解決するために、本発明の通信サービス加入方法は、無線通信可能なネットワークの識別情報を検出するネットワーク検出ステップと、ネットワーク検出ステップにおいて検出された識別情報によって識別されるネットワークにより提供を受けることが可能な通信サービスに関する通信サービス情報を取得する通信サービス情報取得ステップと、通信サービス情報取得ステップにおいて取得された通信サービス情報を参照して、ユーザにより設定された、通信サービスに対して要求される接続条件に適合する通信サービス情報に係る通信サービスを選択する通信サービス選択ステップと、通信サービス選択ステップにおいて選択された通信サービスに対する加入処理を実施する加入処理ステップとを有することを特徴とする。
【０００８】
また、上記課題を解決するために、本発明の通信サービス加入プログラムは、コンピュータに、無線通信可能なネットワークの識別情報を検出するネットワーク検出機能と、ネットワーク検出機能によって検出された識別情報により識別されるネットワークにより提供を受けることが可能な通信サービスに関する通信サービス情報を取得する通信サービス情報取得機能と、ユーザにより設定された、通信サービスに対して要求される接続条件を記憶する接続条件記憶機能と、通信サービス情報取得機能により取得された通信サービス情報を参照して、接続条件記憶機能により記憶された接続条件に適合する通信サービス情報に係る通信サービスを選択する通信サービス選択機能と、通信サービス選択機能により選択された通信サービスに対する加入処理を実施する加入処理機能とを実現することを特徴とする。
【０００９】
本発明の移動機、通信サービス加入方法及び通信サービス加入プログラムによれば、無線通信可能なネットワークにより提供をうけることが可能な通信サービス情報が取得されるので、当該移動機が無線通信可能な通信サービスの内容が移動機において評価可能となる。また、ユーザにより設定された、通信サービスに対して要求される接続条件に適合する通信サービスが、通信サービス情報の参照により選択されるので、ユーザのニーズに応じた通信サービスが選択される。そして、選択された通信サービスに対する加入処理が実施されるので、ユーザのニーズに応じた適切な通信サービスの提供が容易に実現される。
【００１０】
また、本発明の移動機では、通信サービス情報は、当該通信サービスに関する通信速度、料金及び通信方式からなる複数の情報のうちの少なくとも２つ以上の情報を含み、接続条件記憶手段は、通信サービスに対して要求される通信速度、料金及び通信方式からなる複数の項目のうちの少なくとも２つ以上の項目を接続条件として記憶することを特徴とする。
【００１１】
上記構成によれば、通信速度、料金、及び通信方式といった項目のうちのひとつ以上の項目が接続条件として記憶され、その項目に基づき通信サービスが選択されるので、通信サービスに関するユーザのニーズを適切に考慮した通信サービスの提供が可能となる。
【００１２】
また、本発明の移動機では、接続条件が複数の項目を含む場合には、接続条件記憶手段は、当該複数の項目に優先順位を付して記憶しており、通信サービス選択手段は、優先順位がより上位の項目を優先させて通信サービスの選択に用いることを特徴とする。
【００１３】
上記構成によれば、接続条件の項目に優先順位が付され、その上位の項目が優先されるので、ユーザのニーズにより優先度を付与しておくことにより、ユーザが重要視する接続条件に基づく通信サービスの選択が可能となる。
【００１４】
また、本発明の移動機では、通信サービス選択手段により、複数の通信サービスが選択された場合に、当該複数の通信サービス及び当該通信サービスに関する通信サービス情報を提示する通信サービス提示手段と、通信サービス提示手段による提示に応じた通信サービスの選択入力を受け付ける選択入力受付手段とを更に備え、加入処理手段は、選択入力受付手段により受け付けられた通信サービスに対する加入処理を実施することを特徴とする。
【００１５】
上記構成によれば、接続条件に基づき複数の通信サービスが選択された場合に、それらの複数の通信サービスが提示されるので、ユーザに対して通信サービスの選択を促すことができる。そして、通信サービスの提示に応じた選択入力が受け付けられ、選択された通信サービスに対する加入処理が実施されるので、ユーザのニーズを適切に反映した、通信サービスの提供が可能となる。
【発明の効果】
【００１６】
移動機において、ユーザのニーズに応じた適切な通信サービスを容易に提供することが可能となる。
【図面の簡単な説明】
【００１７】
【図１】移動機、事業者管理サーバ及び事業者サーバを含むネットワーク構成を示す図である。
【図２】移動機の機能的構成を示すブロック図である。
【図３】移動機のハードブロック図である。
【図４】事業者情報の構成及び含まれているデータの例を示す図である。
【図５】ネットワーク検出部により検出されたネットワークの識別情報の例を示す図である。
【図６】通信サービス情報の構成及び含まれているデータの例を示す図である。
【図７】接続条件記憶部に記憶されている接続条件の構成及び含まれているデータの例を示す図である。
【図８】通信サービス加入方法の処理内容を示すフローチャートである。
【図９】通信サービス加入プログラムの構成を示す図である。
【発明を実施するための形態】
【００１８】
本発明に係る移動機、通信サービス加入方法及び通信サービス加入プログラムの実施形態について図面を参照して説明する。なお、可能な場合には、同一の部分には同一の符号を付して、重複する説明を省略する。
【００１９】
図１は、本実施形態の移動機１、事業者管理サーバ２及び事業者サーバ３を含むネットワーク構成を示す図である。図１に示すように、移動機１、事業者管理サーバ２及び事業者サーバ３は、無線ネットワークＮを介して互いに通信可能とされている。
【００２０】
移動機１の説明に先立って、事業者管理サーバ２及び事業者サーバ３を説明する。事業者管理サーバ２は、地域ごとの通信サービスを提供する事業者を管理するサーバである。事業者管理サーバ２は、各事業者が提供する通信サービスの種別（通信方式）及びサービスエリアといった情報を含む事業者情報を記憶している。図４は、事業者情報の構成及び含まれるデータの例を示す図である。図４に示すように、事業者情報には、事業者ごとに、通信サービス及びサービスエリアといった情報が対応付けられている。事業者管理サーバ２は、移動機１から位置情報を取得すると、当該位置情報に示される位置が含まれる地域において通信サービスを提供している事業者に関する事業者情報を移動機１に送信する。
【００２１】
また、事業者管理サーバ２は、通信サービス情報を記憶している。通信サービス情報は、無線ネットワークを識別するネットワークＩＤごとに、事業者、通信サービスの種別（通信方式）、料金、速度、及びその他の備考といった情報が対応付けられている情報である。事業者管理サーバ２は、移動機１からネットワークＩＤを取得すると、当該ネットワークＩＤにより識別される通信サービスの通信サービス情報を移動機１に返信する。
【００２２】
事業者サーバ３は、各事業者が提供する通信サービスの加入処理を受け付けるサーバである。加入処理は、例えば、移動機１からの加入申し込みを受け付ける処理、当該通信サービスにおける通信を可能にするために必要なデータを移動機１に提供する処理、通信サービスの提供をうけるユーザに課金を実施するための与信処理等の通信サービスに対する加入のための一連の処理を含む。
【００２３】
図２は、移動機１の機能的構成を示すブロック図である。本実施形態の移動機１は、複数の通信方式による無線通信が可能な移動機であって、例えば、通信方式の一つとして移動体通信網を介した通信方式を有する携帯端末である。この移動機１が実装可能な通信方式は、例えば、３Ｇ、ＬＴＥ、Ｗｉ−Ｆｉ、ＷｉＭＡＸ等である。また、移動機１では、ＳＩＭにより使用可能な通信サービスが制御される。また、この移動機１は、複数のＳＩＭを搭載可能なものであることができる。また、移動機１が搭載する一のＳＩＭにより複数のキャリアへの加入が可能であることとしてもよい。これにより、移動機１は、複数の通信方式及び複数の通信サービスにより無線通信を実施できる。
【００２４】
図１に示すように、移動機１は、機能的には、位置情報検出部１０、事業者情報取得部１１、ネットワーク検出部１２（ネットワーク検出手段）、通信サービス情報取得部１３（通信サービス情報取得手段）、接続条件記憶部１４（接続条件記憶手段）、通信サービス選択部１５（通信サービス選択手段）、通信サービス提示部１６（通信サービス提示手段）、選択入力受付部１７（選択入力受付手段）、及び加入処理部１８（加入処理手段）、を備える。
【００２５】
図３は、移動機１のハードウエア構成図である。移動機１は、物理的には、図３に示すように、ＣＰＵ１０１、主記憶装置であるＲＡＭ１０２及びＲＯＭ１０３、データ送受信デバイスである通信モジュール１０４、ハードディスク、フラッシュメモリ等に例示される補助記憶装置１０５、入力デバイスであるキーボード等の入力装置１０６、ディスプレイ等の出力装置１０７などを含むコンピュータシステムとして構成されている。図２に示した各機能は、図３に示すＣＰＵ１０１、ＲＡＭ１０２等のハードウエア上に所定のコンピュータソフトウェアを読み込ませることにより、ＣＰＵ１０１の制御のもとで通信モジュール１０４、入力装置１０６、出力装置１０７を動作させるとともに、ＲＡＭ１０２や補助記憶装置１０５におけるデータの読み出し及び書き込みを行うことで実現される。再び、図２を参照し、移動機１の各機能部について詳細に説明する。
【００２６】
位置情報検出部１０は、移動機１の所在地に関する位置情報を取得する部分であって、例えば、ＧＰＳ装置によって構成される。この位置情報は、例えば、緯度及び軽度の情報を含む。位置情報検出部１０は、取得した位置情報を事業者情報取得部１１に送出する。
【００２７】
事業者情報取得部１１は、移動機１の位置情報に基づき事業者情報を取得する部分である。具体的には、事業者情報取得部１１は、位置情報を事業者管理サーバ２に送信する。そして、送信した位置情報に応じた事業者情報が事業者管理サーバ２から返信されると、事業者情報取得部１１は、事業者情報を取得する。これにより、移動機１は、移動機１が所在する地域において通信サービスの提供を行っている事業者及び当該通信サービスの通信方式の情報を得ることができる（図４参照）。
【００２８】
ネットワーク検出部１２は、無線通信可能なネットワークの識別情報を検出する部分である。具体的には、ネットワーク検出部１２は、無線通信ネットワークに係る電波を検出し、更に、検出した無線通信信号に含まれるネットワークＩＤを検出する。ネットワークＩＤは、当該無線ネットワークの識別情報である。図５は、ネットワーク検出部１２により検出されたネットワークＩＤの例を示す図である。図５に示す例では、４つのネットワークＩＤが検出されている。なお、ネットワーク検出部１２により検出される無線通信ネットワークは、移動機１の具体的な装置構成に依存する。３Ｇ、ＬＴＥ、Ｗｉ−Ｆｉ、ＷｉＭＡＸ等の多様な無線通信方式のうちの所定の一以上の所定の通信方式に対応した送受信装置を移動機１が備えている場合に、ネットワーク検出部１２は、当該所定の通信方式に係る無線ネットワークを検出できる。また、ネットワーク検出部１２は、取得したネットワークの識別情報を通信サービス情報取得部１３に送出する。
【００２９】
通信サービス情報取得部１３は、ネットワーク検出部１２によって検出された識別情報に識別されるネットワークにより提供を受けることが可能な通信サービスに関する通信サービス情報を取得する部分である。具体的には、通信サービス情報取得部１３は、ネットワーク検出部１２から送出されたネットワークＩＤを取得し、取得したネットワークＩＤを事業者管理サーバ２に送信する。そして、送信したネットワークＩＤに対応する通信サービス情報が事業者管理サーバ２から返信されると、通信サービス情報取得部１３は、通信サービス情報を取得する。図６は、通信サービス情報の構成及び含まれるデータの例を示す図である。図６に示すように、通信サービス情報は、ネットワークＩＤ毎に、事業者、通信サービス（通信方式）、料金、速度及び備考といった情報を含む。これにより、移動機１は、提供を受けることが可能な通信サービスに関する各種の情報を得ることができる。通信サービス情報取得部１３は、取得した通信サービス情報を通信サービス選択部１５に送出する。
【００３０】
接続条件記憶部１４は、通信サービスに対して要求される接続条件を記憶する部分である。例えば、接続条件記憶部１４は、所定の入力手段（図示せず）からユーザにより入力された接続条件を記憶する。接続条件は、例えば、通信サービスに関する事業者、通信方式、料金、速度といった項目を含むことができる。料金に関する条件は、課金形式が定額制であるか、従量制であるか、といった情報及び金額に関する項目を含むことができる。即ち、接続条件記憶部１４は、通信サービスに対して要求される通信速度、料金及び通信方式からなる複数の項目のうちの少なくとも２つ以上の項目を接続条件として記憶することができる。
【００３１】
また、接続条件記憶部１４は、接続条件が複数の項目を含む場合には、当該複数の項目に優先順位を付して記憶している。図７は、接続条件記憶部１４に記憶されている接続条件の例のバリエーションを示す図である。例えば、図７（ａ）に示す例では、接続条件記憶部１４は、優先順位「１」の条件として、「料金」が「定額」であること、優先順位「２」の条件として、「料金」が「安い」こと、及び優先順位「３」の条件として、「速度」が「速い」こと、を接続条件として記憶している。また、図７（ｂ）に示す例では、接続条件記憶部１４は、優先順位「１」の条件として、「料金」が「定額」であること、優先順位「２」の条件として、「速度」が「速い」こと、優先順位「３」の条件として、「料金」が「安い」こと、を接続条件として記憶している。
【００３２】
また、図７（ｃ）に示す例では、接続条件記憶部１４は、優先順位「１」の条件として、「速度」が「速い」こと、優先順位「２」の条件として、「料金」が「安い」こと、を接続条件として記憶している。また、図７（ｄ）に示す例では、接続条件記憶部１４は、優先順位「１」の条件として、「料金」が「定額」であることを接続条件として記憶している。
【００３３】
通信サービス選択部１５は、通信サービス情報取得部１３により取得された通信サービス情報（図６参照）を参照して、接続条件記憶部１４に記憶された接続条件（図７参照）に適合する通信サービス情報に係る通信サービスを選択する部分である。具体的には、例えば、図７（ａ）に示す接続条件が接続条件記憶部１４に記憶されている場合には、通信サービス選択部１５は、優先順位「１」が付された「料金」が「定額」であることといった条件に基づき、図６に示す通信サービス情報から、料金が定額制である通信サービスを選択する。即ち、通信サービス選択部１５は、ネットワークＩＤが「１００１０」、「２００２１」、「３００３１」の通信サービスを選択する。続いて、通信サービス選択部１５は、優先順位「１」の条件に基づき選択された通信サービスの中から、優先順位「２」が付された条件に基づき、最も「料金」が「安い」通信サービスを選択する。即ち、通信サービス選択部１５は、ネットワークＩＤが「３００３１」の通信サービスを選択する。
【００３４】
また、例えば、図７（ｂ）に示す接続条件が接続条件記憶部１４に記憶されている場合には、通信サービス選択部１５は、優先順位「１」が付された「料金」が「定額」であることといった条件に基づき、図６に示す通信サービス情報から、料金が定額制である通信サービスを選択する。即ち、通信サービス選択部１５は、ネットワークＩＤが「１００１０」、「２００２１」、「３００３１」の通信サービスを選択する。続いて、通信サービス選択部１５は、優先順位「１」の条件に基づき選択された通信サービスの中から、優先順位「２」が付された条件に基づき、最も「速度」が「速い」通信サービスを選択する。即ち、通信サービス選択部１５は、ネットワークＩＤが「２００２１」の通信サービスを選択する。
【００３５】
このように、通信サービス選択部１５は、接続条件において優先順位がより上位の項目を優先させて通信サービスの選択を実施する。これにより、ユーザのニーズにより優先度を付与して接続条件を設定しておくことにより、ユーザが重要視する接続条件に基づく通信サービスの選択が可能となる。また、通信サービス選択部１５は、選択した通信サービス情報を加入処理部１８に送出する。
【００３６】
通信サービス提示部１６は、通信サービス選択部１５により、複数の通信サービスが選択された場合に、当該複数の通信サービス及び当該通信サービスの通信サービス情報を提示する部分であって、例えば、ディスプレイといった装置を含んで構成される。
【００３７】
具体的には、例えば、図７（ｄ）に示す接続条件が接続条件記憶部１４に記憶されている場合には、通信サービス選択部１５は、優先順位「１」が付された「料金」が「定額」であることといった条件に基づき、図６に示す通信サービス情報から、料金が定額制である通信サービスを選択する。即ち、通信サービス選択部１５は、ネットワークＩＤが「１００１０」、「２００２１」、「３００３１」の通信サービスを選択する。ここで、複数の通信サービスが選択されたので、通信サービス提示部１６は、ネットワークＩＤ「１００１０」、「２００２１」、「３００３１」に識別される通信サービス及びこれらの通信サービスに関する通信サービス情報を提示する。これにより、通信サービス情報に含まれる各種情報をユーザに参照させることができるので、ユーザに対して通信サービスの選択を促すことができる。
【００３８】
選択入力受付部１７は、通信サービス提示部１６による通信サービス情報の提示に応じた通信サービスの選択入力を受け付ける部分であって、例えば、キーボード、タッチパネルといった入力手段を含んで構成される。具体的には、例えば、ネットワークＩＤ「１００１０」、「２００２１」、「３００３１」に識別される通信サービス及びこれらの通信サービスに関する通信サービス情報が通信サービス提示部１６により提示された場合には、選択入力受付部１７は、これらのいずれかの通信サービスを選択するユーザからの入力を受け付けることができる。これにより、ユーザのニーズを適切に反映した、通信サービスの提供が可能となる。
【００３９】
加入処理部１８は、通信サービス選択部１５により選択された通信サービスに対する加入処理を実施する部分である。加入処理は、通信サービスに対する加入申し込みのための処理であって、当該通信サービスにおける通信を可能にするために必要なデータを送受信する処理、通信サービスの提供を受けるユーザに課金を実施するための与信処理等の通信サービスに対する加入のための一連の処理を含む。また、加入処理は、移動機１から事業者サーバ３に対して行われるものであって、例えば、「Ａ社」が提供する通信サービスが選択された場合には、加入処理部１８は、Ａ社が通信サービスの制御及び管理をするために設けた事業者サーバ３Ａ（図１参照）に対して、加入処理を実施する。
【００４０】
なお、選択入力受付部１７により通信サービスの選択入力が受け付けられた場合には、加入処理部１８は、選択入力受付部１７により受け付けられた通信サービスに対する加入処理を実施する。
【００４１】
次に、図８を参照して、移動機１における通信サービス加入方法について説明する。図８は、通信サービス加入方法の処理内容を示すフローチャートである。
【００４２】
まず、位置情報検出部１０は、移動機１の所在地に関する位置情報を取得する（Ｓ１）。そして、位置情報検出部１０は、取得した位置情報を事業者情報取得部１１に送出する。続いて、事業者情報取得部１１は、移動機１の位置情報に基づき事業者情報を取得する（Ｓ２）。
【００４３】
次に、ネットワーク検出部１２は、無線通信可能なネットワークの識別情報であるネットワークＩＤを検出する（Ｓ３、ネットワーク検出ステップ）。そして、ネットワーク検出部１２は、取得したネットワークＩＤを通信サービス情報取得部１３に送出する。続いて、通信サービス情報取得部１３は、ネットワーク検出部１２によって検出されたネットワークＩＤに識別されるネットワークにより提供を受けることが可能な通信サービスに関する通信サービス情報を取得する（Ｓ４、通信サービス情報取得ステップ）。そして、通信サービス情報取得部１３は、取得した通信サービス情報を通信サービス選択部１５に送出する。
【００４４】
次に、通信サービス選択部１５は、通信サービス情報取得部１３により取得された通信サービス情報を参照して、接続条件記憶部１４に記憶された接続条件に適合する通信サービス情報に係る通信サービスを選択する（Ｓ５、通信サービス選択ステップ）。ここで、通信サービス選択部１５は、ステップＳ５において選択された通信サービスが一つであるか否かを判定する（Ｓ６）。選択された通信サービスが一つであると判定された場合には、処理手順はステップＳ９に進められる。一方、選択された通信サービスが一つであると判定されなかった場合には、処理手順はステップＳ７に進められる。
【００４５】
ステップＳ７において、通信サービス提示部１６は、通信サービス選択部１５により選択された複数の通信サービス及び当該通信サービスに関する通信サービス情報を提示する（Ｓ７）。続いて、選択入力受付部１７は、通信サービス提示部１６による通信サービス情報の提示に応じた、ユーザからの通信サービスの選択入力を受け付ける（Ｓ８）。
【００４６】
一方、ステップＳ９において、加入処理部１８は、通信サービス選択部１５により選択された通信サービス、又は選択入力受付部１７により受け付けられた通信サービスに対する加入処理を実施する（Ｓ９、加入処理ステップ）。
【００４７】
なお、以上説明した実施形態では、通信サービス選択部１５により複数の通信サービスが選択された場合に、複数の通信サービス及び当該通信サービスに関する通信サービス情報が通信サービス提示部１６により提示されることとしているが、かかる処理が実施されないこととしてもよい。即ち、移動機１が通信サービス提示部１６及び選択入力受付部１７を備えないと共に、図８のフローチャートにおけるステップＳ６〜Ｓ８の処理が実施されないこととしてもよい。
【００４８】
次に、コンピュータを、本実施形態の移動機１として機能させるための通信サービス加入プログラムについて説明する。図９は、通信サービス加入プログラム１ｍの構成を示す図である。
【００４９】
通信サービス加入プログラム１ｍは、通信サービス加入処理を統括的に制御するメインモジュール１００ｍ、位置情報検出モジュール１０ｍ、事業者情報取得モジュール１１ｍ、ネットワーク検出モジュール１２ｍ、通信サービス情報取得モジュール１３ｍ、接続条件記憶モジュール１４ｍ、通信サービス選択モジュール１５ｍ、通信サービス提示モジュール１６ｍ、選択入力受付モジュール１７ｍ、及び加入処理モジュール１８ｍを備えて構成される。そして、各モジュール１０ｍ〜１８ｍにより、移動機１における各機能部１０〜１８のための各機能が実現される。なお、通信サービス加入プログラム１ｍは、通信回線等の伝送媒体を介して伝送される態様であってもよいし、図７に示されるように、記録媒体１ｄのプログラム格納領域１ｒに記憶される態様であってもよい。
【００５０】
以上説明した本実施形態の移動機１、通信サービス加入方法及び通信サービス加入プログラム１ｍでは、無線通信可能なネットワークにより提供をうけることが可能な通信サービス情報が通信サービス情報取得部１３により取得されるので、当該移動機１が無線通信可能な通信サービスの内容を移動機１において評価可能となる。また、通信サービスに対して要求される接続条件に適合する通信サービスが、通信サービス選択部１５により選択されるので、ユーザのニーズに応じた通信サービスが選択される。そして、選択された通信サービスに対する加入処理が加入処理部１８により実施されるので、ユーザのニーズに応じた適切な通信サービスの提供が容易に実現される。
【００５１】
以上、本発明をその実施形態に基づいて詳細に説明した。しかし、本発明は上記実施形態に限定されるものではない。本発明は、その要旨を逸脱しない範囲で様々な変形が可能である。
【符号の説明】
【００５２】
１…移動機、２…事業者管理サーバ、３…事業者サーバ、１０…位置情報検出部、１１…事業者情報取得部、１２…ネットワーク検出部、１３…通信サービス情報取得部、１４…接続条件記憶部、１５…通信サービス選択部、１６…通信サービス提示部、１７…選択入力受付部、１８…加入処理部、１ｄ…記録媒体、１ｍ…通信サービス加入プログラム、１ｒ…プログラム格納領域、１０ｍ…位置情報検出モジュール、１１ｍ…事業者情報取得モジュール、１２ｍ…ネットワーク検出モジュール、１３ｍ…通信サービス情報取得モジュール、１４ｍ…接続条件記憶モジュール、１５ｍ…通信サービス選択モジュール、１６ｍ…通信サービス提示モジュール、１７ｍ…選択入力受付モジュール、１８ｍ…加入処理モジュール、１００ｍ…メインモジュール。
【図１】
2012216990.tif 000003
【図２】
2012216990.tif 000004
【図３】
2012216990.tif 000005
【図４】
2012216990.tif 000006
【図５】
2012216990.tif 000007
【図６】
2012216990.tif 000008
【図７】
2012216990.tif 000009
【図８】
2012216990.tif 000010
【図９】
2012216990.tif 000011